(57)【要約】      （修正有）【課題】二階建の建物で、自然換気により室内の給排気を行う換気システムを提供する。【解決手段】上部室１ａと下部室１ｂとを、階段室２を介して連通してなる家屋１において、該家屋の側部に、排気筒３と給気筒４を立設し、この接合部には、全熱交換素子を設け、排気筒の下端部に、下部室の床下部付近に排気吸引口３ａを設け、該排気筒の上端部は、大気に排出する排出口３ｂを設け、前記給気筒の下端部は、下部室が位置する外部付近に、吸気穴４ａを、該給気筒の上端部には、上部室の天井部付近に吸引口４ｂを設け、排気筒内の汚れた空気と、給気筒内の新鮮な空気を、該全熱交換素子５の伝熱板の間に交互に流し、換気を行い、該伝熱板を介して熱と湿度を回収し、室外より新鮮な空気を吸引し、上部室・天井部のプロペラ６で、上部室の吸引口、給気筒の吸気穴から流入される新鮮な空気、階段室で上部室と下部室間を対流する空気で該プロペラを旋回させる。【選択図】図１
0003167320.tif 000002
【実用新案登録請求の範囲】
【請求項１】
上部室（１ａ）と下部室（１ｂ）とを、階段室（２）を介して連通してなる家屋（１）において、
該家屋（１）の側部には、排気筒（３）と、給気筒（４）とをそれぞれ立設し、
該排気筒（３）と、給気筒（４）との接合部には、全熱交換素子（５）を設け、
前記排気筒（３）の下端部には、下部室（１ｂ）の床下部付近に排気吸引口（３ａ）を設けて、該排気筒（３）の上端部は、大気に向けて排出する排出口（３ｂ）を設け、
前記給気筒（４）の下端部は、下部室（１ｂ）が位置する外部付近に、吸気穴（４ａ）を設けると共に、該給気筒（４）の上端部には、上部室（１ａ）の天井部付近に吸引口（４ｂ）を設け、
前記排気筒（３）内を流れる，室内の汚れた空気と、給気筒（４）内を流れる，室外からの新鮮な空気を、該全熱交換素子（５）の伝熱板（５ａ）の間に交互に流すことにより、換気を行いながら該伝熱板（５ａ）を介して熱と湿度を回収し、室外より室内へ新鮮な空気を吸引し、
さらに、前記上部室（１ａ）の天井部には、プロペラ（６）を設け、
上部室（１ａ）の吸引口（４ｂ）より流入される給気筒（４）の吸気穴（４ａ）から流入される新鮮な空気、そして階段室（２）を介して上部室（１ａ）と下部室（１ｂ）間を対流する空気によって、該プロペラ（６）を旋回させることを
特徴とする家屋における換気システム。
【考案の詳細な説明】
【技術分野】
【０００１】
この考案は、家屋における換気システムに関するものである。
【背景技術】
【０００２】
従来、建物の室内外の換気を行うことは、人の日常生活において、健康上、衛生上、極めて重要な事であり、その換気を行う手段として、自然換気と人工換気がある。
【０００３】
そして、人工換気は、換気扇やファンを用いて、強制的に換気するものであり、その稼働中は換気できるが、これら機器の使用を停止させると、直ちに換気が不可能となるものであり、また、機器の稼働中の騒音も問題となった。
【０００４】
それに対して、自然換気は、自然の風等を利用して換気をするものであり、例えば、高層住宅等においては、ボイド空隙を利用して建物に作用する風や、ボイド空隙に発生する上昇気流（煙突効果と呼ばれている。）を利用する等の自然換気が利用されている。
【０００５】
そして、この自然換気を、比較的低層の住宅においても利用することが考えられる。例えば、特許文献１のように。
【０００６】
しかし、特許文献１においては、外気からの風（Ａ）は、直接、住宅側部（ｂ１）の室内の上部に形成された給気ダクト（ｄ）から流入する構成のものであり、排気ダクト（ｇ）を流れる上昇気流（Ｂ）に吸引される構造のものであり、住宅内部（ｃ）に対流を生ずる構造のものではない。
【０００７】
さらに、特許文献２においては、高層のマンション等の建物での空調システムであり、しかも、各階に設置された空調機や湿度調節機を介して構成されたものであり、比較的低階層でしかも、自然換気を目的とするものではなかった。
【先行技術文献】
【特許文献】
【０００８】
【特許文献１】特開２００３−８３５７５号公報
【特許文献２】特開２００９−０２５７４号公報
【考案の概要】
【考案が解決しようとする課題】
【０００９】
そこで、この考案が解決しようとする課題は、比較的低階層の建物、特に、二階建の家屋において、自然換気により室内の給排気を行うことのできる家屋における換気システムを開発・提供することにある。
【課題を解決するための手段】
【００１０】
この考案による課題を解決するための手段としては、給気筒と排出筒の２本の煙突を用いて、その煙突効果を利用し、室内換気を行う家屋における換気システムである。
【考案の効果】
【００１１】
この考案によると、煙突効果により、発生する風力を風車で回転運動に変換させることで外気を給・排気させ、自然エネルギーだけを利用して外気を室内に取り入れ、また、室内空気を排出することができる。
【００１２】
また、給気筒と排気筒との接合部に全熱交換素子の伝熱板を設けることにより、該伝熱板が気体遮蔽性と透湿性を有しているため、室内（上部室・下部室）の汚れた空気と室外の新鮮な空気を伝熱板の間に交互に流すことで換気を行いながら伝熱板を介して熱と湿度を回収することができる。
【００１３】
さらに、室内に設けたプロペラの回転により、室内空気に対流運動を起こさせることにより、上部室・下部室の温度の均一化をはかり、空気環境を平均的にして、その結果、生活環境の快適（上・下温度差）に安全状態（常時換気）を維持することができる等の極めて有益なる効果を奏する。
【図面の簡単な説明】
【００１４】
【図１】この考案の低階層の建物の一実施例を示す説明図である。
【図２】この考案に使用する全熱交換素子の一実施例を示す斜視図である。
【考案を実施するための形態】
【００１５】
この考案は、自然エネルギーだけを利用して、比較的低階層の建物の換気を行う家屋における換気システムを開発・提供するものである。
【実施例】
【００１６】
次に、この考案の一実施例を図１に基づいて詳細に説明すると、上部室（１ａ）と下部室（１ｂ）とを、階段室（２）を介して連通してなる家屋（１）において、該家屋（１）の側部には、排気筒（３）と、給気筒（４）とをそれぞれ立設し、該排気筒（３）と、給気筒（４）との接合部には、全熱交換素子（５）を設け、前記排気筒（３）の下端部には、下部室（１ｂ）の床下部付近に排気吸引口（３ａ）を設けて、該排気筒（３）の上端部は、大気に向けて排出する排出口（３ｂ）を設け、前記給気筒（４）の下端部は、下部室（１ｂ）が位置する外部付近に、吸気穴（４ａ）を設けると共に、該給気筒（４）の上端部には、上部室（１ａ）の天井部付近に吸引口（４ｂ）を設け、前記排気筒（３）内を流れる，室内の汚れた空気と、給気筒（４）内を流れる，室外からの新鮮な空気を、該全熱交換素子（５）の伝熱板（５ａ）の間に交互に流すことにより、換気を行いながら該伝熱板（５ａ）を介して熱と湿度を回収し、室外より室内へ新鮮な空気を吸引し、さらに、前記上部室（１ａ）の天井部には、プロペラ（６）を設け、上部室（１ａ）の吸引口（４ｂ）より流入される給気筒（４）の吸気穴（４ａ）から流入される新鮮な空気、そして階段室（２）を介して上部室（１ａ）と下部室（１ｂ）間を対流する空気によって、該プロペラ（５）の旋回させることを特徴とする家屋における換気システムから構成される。
【００１７】
尚、全熱交換素子（５）とは、図２に示すように、排気筒（３）中の熱や湿度を回収することにより、換気に伴う熱ロスを低減させるものである。そして、所定の間隔を設けて積層された複数枚の伝熱板から構成され、この伝熱板（５ａ）が気体遮蔽性と透湿性を有しているため、上部・下部室（１ａ，１ｂ）内の汚れた空気と室外の新鮮な空気を、伝熱板（５ａ）の間に交互に流すことで、換気を行いながら伝熱板（５ａ）を介して熱と湿度を回収するものである。
【００１８】
そして、この伝熱板（５ａ）の材料には、気体遮蔽性と透湿性を兼ね備えた特殊加工紙が用いられており、二酸化炭素や臭気成分は通さずに水分のみ選択的に透過させることで、確実な換気を行いつつ、湿度の交換を可能とするものである。
【００１９】
そして、この考案は、図面において、全熱交換素子（５）は、給気筒（４）の吸気穴（４ａ）付近に設けたが、他の場所で設置してもよく、また、家屋（１）は、二階建ての家屋について図示しているが、三階建であっても、よいものである。
【００２０】
さらに、上室（１ａ）の天井部付近に設けた給気筒（４）の吸引口（４ｂ）は、プロペラ（５）に向けて開口するよう設けてもよい。
【産業上の利用可能性】
【００２１】
この考案の、家屋における換気システムの技術を確立し、実施することにより、産業上利用可能性があるものである。
【符号の説明】
【００２２】
１  家屋
１ａ  上部室
１ｂ  下部室
２  階段室
３  排気筒
３ａ  排気吸引口
３ｂ  排出口
４  給気筒
４ａ  吸気穴
４ｂ  吸引口
５  熱交換素子
５ａ  伝熱板
６  プロペラ
【図１】
0003167320.tif 000003
【図２】
0003167320.tif 000004